(57)【要約】【課題】表示装置が情報処理装置から指示を受け取ってから当該指示に応じた表示が完了するまでに時間が掛かることを抑制可能な技術を提供する。【解決手段】表示装置は、情報処理装置と通信する通信部と、記憶部と、記憶部が画像情報を記憶した場合、画像情報に基づく画像を表示面に表示可能になる表示部と、制御部とを含む。制御部は、通信部が情報処理装置から画像の表示の指示に用いる第１情報を要求する第１信号を受信した場合、第１情報を情報処理装置に送信する動作を通信部に実行させ、かつ、記憶部に画像情報を記憶させ、記憶部が画像情報を記憶した後に、第１情報に応じた表示を促す第２信号を情報処理装置へ送信する動作を通信部に実行させ、通信部が、第１情報に応じた表示への操作に応じて情報処理装置から送信された画像の表示を指示する第３信号を受信した場合、画像を表示面に表示する動作を表示部に実行させる。【選択図】図３
2019129483.tif 000002
【特許請求の範囲】
【請求項１】
情報処理装置と、前記情報処理装置と通信する表示装置と、を含み、
前記表示装置は、
前記情報処理装置と通信する通信部と、
記憶部と、
前記記憶部が画像情報を記憶した場合、前記画像情報に基づく画像を表示面に表示可能になる表示部と、
前記通信部と前記記憶部と前記表示部とを制御する制御部と、を含み、
前記情報処理装置は、前記画像の表示の指示に用いる第１情報を要求する第１信号を前記表示装置に送信し、
前記制御部は、前記通信部が前記第１信号を受信した場合、前記第１情報を前記情報処理装置に送信する動作を前記通信部に実行させ、かつ、前記記憶部に前記画像情報を記憶させ、
前記制御部は、前記記憶部が前記画像情報を記憶した後に、前記第１情報に応じた表示を促す第２信号を前記情報処理装置へ送信する動作を前記通信部に実行させ、
前記情報処理装置は、前記第１情報と前記第２信号とを受信した場合、前記第１情報に応じた表示を実行し、
前記情報処理装置は、前記第１情報に応じた表示への操作に応じて、前記画像の表示を指示する第３信号を前記表示装置に送信し、
前記制御部は、前記通信部が前記第３信号を受信した場合、前記画像を前記表示面に表示する動作を前記表示部に実行させる、
ことを特徴とする表示システム。
【請求項２】
情報処理装置と通信する通信部と、
記憶部と、
前記記憶部が画像情報を記憶した場合、前記画像情報に基づく画像を表示面に表示可能になる表示部と、
前記通信部と前記記憶部と前記表示部とを制御する制御部と、を含み、
前記制御部は、
前記通信部が前記情報処理装置から前記画像の表示の指示に用いる第１情報を要求する第１信号を受信した場合、前記第１情報を前記情報処理装置に送信する動作を前記通信部に実行させ、かつ、前記記憶部に前記画像情報を記憶させ、
前記記憶部が前記画像情報を記憶した後に、前記第１情報に応じた表示を促す第２信号を前記情報処理装置へ送信する動作を前記通信部に実行させ、
前記通信部が、前記第１情報に応じた表示への操作に応じて前記情報処理装置から送信された前記画像の表示を指示する第３信号を受信した場合、前記画像を前記表示面に表示する動作を前記表示部に実行させる、
ことを特徴とする表示装置。
【請求項３】
前記画像情報は、複数の画像情報のいずれかであり、
前記制御部は、前記通信部が前記情報処理装置から前記複数の画像情報について前記第１信号を受信した場合、前記複数の画像情報について前記第１情報を前記情報処理装置に送信する動作を前記通信部に実行させ、かつ、前記記憶部に前記複数の画像情報を記憶させる、
ことを特徴とする請求項２に記載の表示装置。
【請求項４】
前記制御部は、前記記憶部に前記複数の画像情報を記憶させている間、前記複数の画像情報のうち前記記憶部に記憶された画像情報については、前記複数の画像情報のうち前記記憶部に記憶されていない画像情報が存在しても、前記第２信号を前記情報処理装置へ送信する動作を前記通信部に実行させる、
ことを特徴とする請求項３に記載の表示装置。
【請求項５】
前記情報処理装置は、前記第１情報に応じた表示を所定位置において実行した状態で前記所定位置が操作された場合に前記第３信号を前記表示装置に送信し、前記第１情報に応じた表示を前記所定位置において実行していない状態で前記所定位置が操作された場合には前記第３信号を前記表示装置に送信しない、
ことを特徴とする請求項２から４のいずれか１項に記載の表示装置。
【請求項６】
前記制御部は、前記通信部が前記第１信号を受信した場合、前記画像情報を外部記憶装置から取得し、前記外部記憶装置から取得した画像情報を前記記憶部に記憶させる、
ことを特徴とする請求項２から５のいずれか１項に記載の表示装置。
【請求項７】
記憶部と、前記記憶部が画像情報を記憶した場合に前記画像情報に基づく画像を表示面に表示可能になる表示装置の制御方法であって、
情報処理装置から前記画像の表示の指示に用いる第１情報を要求する第１信号を受信した場合、前記第１情報を前記情報処理装置に送信し、かつ、前記記憶部に前記画像情報を記憶させ、
前記記憶部が前記画像情報を記憶した後に、前記第１情報に応じた表示を促す第２信号を前記情報処理装置へ送信し、
前記第１情報に応じた表示への操作に応じて前記情報処理装置から送信された前記画像の表示を指示する第３信号を受信した場合、前記画像を前記表示面に表示する、
ことを特徴とする表示装置の制御方法。
【発明の詳細な説明】
【技術分野】
【０００１】
本発明は、表示システム、表示装置および表示装置の制御方法に関する。
【背景技術】
【０００２】
特許文献１には、ＰＣ（Personal Computer）からの指示に応じて表示画像を変更する表示装置が記載されている。
【先行技術文献】
【特許文献】
【０００３】
【特許文献１】特開２０１２−１９４３２４号公報
【発明の概要】
【発明が解決しようとする課題】
【０００４】
ところで、特許文献１に記載されたような表示装置では、表示装置がＰＣ等の情報処理装置から指示を受け取ってから当該指示に応じた表示が完了するまでに、時間が掛かってしまう場合がある。
【０００５】
本発明は上述した事情に鑑みてなされたものであり、表示装置が情報処理装置から指示を受け取ってから当該指示に応じた表示が完了するまでに時間が掛かることを抑制可能な技術を提供することを解決課題とする。
【課題を解決するための手段】
【０００６】
本発明に係る表示システムの一態様は、情報処理装置と、前記情報処理装置と通信する表示装置と、を含み、前記表示装置は、前記情報処理装置と通信する通信部と、記憶部と、前記記憶部が画像情報を記憶した場合、前記画像情報に基づく画像を表示面に表示可能になる表示部と、前記通信部と前記記憶部と前記表示部とを制御する制御部と、を含み、前記情報処理装置は、前記画像の表示の指示に用いる第１情報を要求する第１信号を前記表示装置に送信し、前記制御部は、前記通信部が前記第１信号を受信した場合、前記第１情報を前記情報処理装置に送信する動作を前記通信部に実行させ、かつ、前記記憶部に前記画像情報を記憶させ、前記制御部は、前記記憶部が前記画像情報を記憶した後に、前記第１情報に応じた表示を促す第２信号を前記情報処理装置へ送信する動作を前記通信部に実行させ、前記情報処理装置は、前記第１情報と前記第２信号とを受信した場合、前記第１情報に応じた表示を実行し、前記情報処理装置は、前記第１情報に応じた表示への操作に応じて、前記画像の表示を指示する第３信号を前記表示装置に送信し、前記制御部は、前記通信部が前記第３信号を受信した場合、前記画像を前記表示面に表示する動作を前記表示部に実行させる、ことを特徴とする。
【０００７】
この態様によれば、記憶部が画像情報を記憶して、表示部が画像情報に基づく画像を表示面に表示可能になってから、情報処理装置は、画像の表示を指示するための操作を受け付け可能になる。
このため、情報処理装置が当該操作を受け付けてから、記憶部が画像情報を記憶し、その後、画像情報に基づく画像が表示面に表示される構成に比べて、表示装置が情報処理装置から指示を受け取ってから当該指示に応じた表示が完了するまでの時間を短くできる。
【０００８】
本発明に係る表示装置の一態様は、前記情報処理装置と通信する通信部と、記憶部と、前記記憶部が画像情報を記憶した場合、前記画像情報に基づく画像を表示面に表示可能になる表示部と、前記通信部と前記記憶部と前記表示部とを制御する制御部と、を含み、前記制御部は、前記通信部が前記情報処理装置から前記画像の表示の指示に用いる第１情報を要求する第１信号を受信した場合、前記第１情報を前記情報処理装置に送信する動作を前記通信部に実行させ、かつ、前記記憶部に前記画像情報を記憶させ、前記記憶部が前記画像情報を記憶した後に、前記第１情報に応じた表示を促す第２信号を前記情報処理装置へ送信する動作を前記通信部に実行させ、前記通信部が、前記第１情報に応じた表示への操作に応じて前記情報処理装置から送信された前記画像の表示を指示する第３信号を受信した場合、前記画像を前記表示面に表示する動作を前記表示部に実行させる、ことを特徴とする。
【０００９】
この態様によれば、記憶部が画像情報を記憶して、表示部が画像情報に基づく画像を表示面に表示可能になってから、情報処理装置は、画像の表示を指示するための操作を受け付け可能になる。
このため、情報処理装置が当該操作を受け付けてから、記憶部が画像情報を記憶し、その後、画像情報に基づく画像が表示面に表示される構成に比べて、表示装置が情報処理装置から指示を受け取ってから当該指示に応じた表示が完了するまでの時間を短くできる。
【００１０】
上述した表示装置の一態様において、前記画像情報は、複数の画像情報のいずれかであり、前記制御部は、前記通信部が前記情報処理装置から前記複数の画像情報について前記第１信号を受信した場合、前記複数の画像情報について前記第１情報を前記情報処理装置に送信する動作を前記通信部に実行させ、かつ、前記記憶部に前記複数の画像情報を記憶させることが望ましい。
この態様によれば、複数の画像の中から表示対象の画像が選択される状況においても、表示装置が情報処理装置から指示を受け取ってから当該指示に応じた表示が完了するまでの時間を短くできる。
【００１１】
上述した表示装置の一態様において、前記制御部は、前記記憶部に前記複数の画像情報を記憶させている間、前記複数の画像情報のうち前記記憶部に記憶された画像情報については、前記複数の画像情報のうち前記記憶部に記憶されていない画像情報が存在しても、前記第２信号を前記情報処理装置へ送信する動作を前記通信部に実行させることが望ましい。
この態様によれば、複数の画像のすべてが表示可能にならなくても、表示可能になった画像については、画像の表示を指示するための操作を受け付け可能になる。
【００１２】
上述した表示装置の一態様において、前記情報処理装置は、前記第１情報に応じた表示を所定位置において実行した状態で前記所定位置が操作された場合に前記第３信号を前記表示装置に送信し、前記第１情報に応じた表示を前記所定位置において実行していない状態で前記所定位置が操作された場合には前記第３信号を前記表示装置に送信しないことが望ましい。
この態様によれば、表示可能になっていない画像について、当該画像の表示を指示する第３信号が送信されることを抑制できる。
【００１３】
上述した表示装置の一態様において、前記制御部は、前記通信部が前記第１信号を受信した場合、前記画像情報を外部記憶装置から取得し、前記外部記憶装置から取得した画像情報を前記記憶部に記憶させることが望ましい。
この態様によれば、外部記憶装置に記憶されている画像情報に応じた画像を表示面に表示することが可能になる。
【００１４】
本発明に係る表示装置の制御方法の一態様は、記憶部と、前記記憶部が画像情報を記憶した場合に前記画像情報に基づく画像を表示面に表示可能になる表示装置の制御方法であって、情報処理装置から前記画像の表示の指示に用いる第１情報を要求する第１信号を受信した場合、前記第１情報を前記情報処理装置に送信し、かつ、前記記憶部に前記画像情報を記憶させ、前記記憶部が前記画像情報を記憶した後に、前記第１情報に応じた表示を促す第２信号を前記情報処理装置へ送信し、前記第１情報に応じた表示への操作に応じて前記情報処理装置から送信された前記画像の表示を指示する第３信号を受信した場合、前記画像を前記表示面に表示することを特徴とする。
この態様によれば、表示装置が情報処理装置から指示を受け取ってから当該指示に応じた表示が完了するまでの時間を短くできる。
【図面の簡単な説明】
【００１５】
【図１】第１実施形態に係る表示システム１を示した図である。
【図２】端末装置１００の一例を示した図である。
【図３】プロジェクター２００の一例を示した図である。
【図４】表示システム１の動作を説明するためのシーケンス図である。
【図５】サムネイル表示用画像１０１の一例を示した図である。
【図６】サムネイル表示用画像１０１の他の例を示した図である。
【図７】基準画像７の一例を示した図である。
【図８】演出画像８の一例を示した図である。
【図９】重畳画像９を示した図である。
【発明を実施するための形態】
【００１６】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１７】
＜第１実施形態＞
図１は、第１実施形態に係る表示システム１を示した図である。
まず、表示システム１の概要を説明する。表示システム１は、端末装置１００と、画像、例えば、演出用の画像（以下「コンテンツ画像」とも称する）を投射するプロジェクター２００と、を含む。
【００１８】
端末装置１００は、例えば、スマートフォン等の通信機能を備えた装置である。端末装置１００は、情報処理装置の一例である。端末装置１００は、プロジェクター２００が投射するコンテンツ画像を切り替えるためのコンテンツ切替用アプリケーションを記憶する。コンテンツ画像は、画像の一例である。
【００１９】
端末装置１００は、コンテンツ切替用アプリケーションを立ち上げると、プロジェクター２００からコンテンツ情報を取得する。コンテンツ情報は、プロジェクター２００が投射可能なコンテンツ画像のサムネイル画像を生成するために用いられる。サムネイル画像は、コンテンツ画像のプレビュー画像でもある。
【００２０】
本実施形態では、端末装置１００は、サムネイル画像１０を生成するための第１コンテンツ情報と、サムネイル画像２０を生成するための第２コンテンツ情報と、サムネイル画像３０を生成するための第３コンテンツ情報と、サムネイル画像４０を生成するための第４コンテンツ情報とを、プロジェクター２００から取得する。コンテンツ情報（第１〜第４コンテンツ情報の各々）は、画像の表示の指示に用いる第１情報の一例である。
【００２１】
端末装置１００は、第１コンテンツ情報に基づいてサムネイル画像１０を生成し、第２コンテンツ情報に基づいてサムネイル画像２０を生成し、第３コンテンツ情報に基づいてサムネイル画像３０を生成し、第４コンテンツ情報に基づいてサムネイル画像４０を生成する。サムネイル画像（サムネイル画像１０〜４０の各々）は、第１情報に応じた表示の一例である。端末装置１００は、サムネイル画像１０〜４０を表示する。
【００２２】
プロジェクター２００は、表示装置の一例である。プロジェクター２００は、例えば、レストランにおいてテーブル３００のテーブル面３００ａにコンテンツ画像（例えば、誕生日用の画像１０Ａ）を投射して表示する。誕生日用の画像１０Ａは、サムネイル画像１０に対応する。コンテンツ画像は、誕生日用の画像に限らず、適宜変更可能である。テーブル面３００ａは、表示面の一例である。表示面は、テーブル面３００ａに限らず、適宜変更可能である。表示面は、表示部に含まれない。プロジェクター２００は、種々のコンテンツ画像を投射可能である。
【００２３】
例えば、レストランにおいて誕生日を祝うイベントが行われ、このイベントの進行に合わせて誕生日用の画像１０Ａを表示すべきタイミングで、サムネイル画像１０が操作（例えば、タッチ操作）されたとする。この場合、端末装置１００は、サムネイル画像１０への操作に応じて、サムネイル画像１０に対応した誕生日用の画像１０Ａの表示を指示する通知（以下「表示通知」とも称する）をプロジェクター２００に送信する。表示通知は、画像の表示を指示する第３信号の一例である。
【００２４】
プロジェクター２００は、表示通知を受信すると、表示通知によって指示された誕生日用の画像１０Ａ（コンテンツ画像）を、テーブル面３００ａに投射する。
【００２５】
ここで、プロジェクター２００は、コンテンツ画像を示す画像情報をフレームメモリー２２０（図３参照）に展開してから、当該画像情報に応じたコンテンツ画像をテーブル面３００ａに投射可能になる。
【００２６】
よって、プロジェクター２００が、表示通知を受信してから画像情報をフレームメモリー２２０に展開し、その後、画像情報に応じたコンテンツ画像を表示すると、サムネイル画像１０が操作されてから誕生日用の画像１０Ａが表示されるまで時間が掛かる。このため、誕生日用の画像１０Ａの実際の表示タイミングが、イベントにおいて誕生日用の画像１０Ａを表示すべきタイミングよりも遅れやすくなり、誕生日用の画像１０Ａの演出上の効果が低減するおそれがある。
【００２７】
そこで、本実施形態では、プロジェクター２００が画像情報をフレームメモリー２２０に展開してから、端末装置１００においてサムネイル画像への操作を可能にし、その後のサムネイル画像への操作に応じて、少ない遅延時間でコンテンツ画像を表示可能にする。ここで、画像情報をフレームメモリー２２０に展開することは、画像情報をフレームメモリー２２０に記憶することを意味する。
【００２８】
次に、表示システム１の詳細について説明する。
図２は、端末装置１００の一例を示した図である。端末装置１００は、通信部１１０と、表示部１２０と、受取部１３０と、記憶部１４０と、制御部１５０と、を含む。
【００２９】
通信部１１０は、プロジェクター２００と通信する。例えば、通信部１１０は、プロジェクター２００と無線通信する。
【００３０】
通信部１１０は、プロジェクター２００に、コンテンツ情報を要求するリクエスト信号を送信する。リクエスト信号は、コンテンツ情報を要求する第１信号の一例である。通信部１１０は、プロジェクター２００から、リクエスト信号に応じたコンテンツ情報を受信する。端末装置１００は、コンテンツ情報を受信すると、コンテンツ情報を用いて、サムネイル画像を示すサムネイル画像情報を生成する。
【００３１】
通信部１１０は、コンテンツ情報を受信した後、プロジェクター２００がコンテンツ情報に応じた画像情報をフレームメモリー２２０に展開（記憶）した旨の展開完了信号を受信する。端末装置１００は、展開完了信号の受信に応じて、コンテンツ情報に応じたサムネイル画像情報に基づきサムネイル画像を表示する。展開完了信号は、第１情報に応じた表示を促す第２信号の一例である。
【００３２】
通信部１１０は、サムネイル画像が操作（例えば、タッチ操作）された場合、操作されたサムネイル画像に応じた表示通知を、プロジェクター２００に送信する。プロジェクター２００は、表示通知を受信した場合、フレームメモリー２２０に展開済みの画像情報に応じたコンテンツ画像を投射して表示する。
【００３３】
表示部１２０は、種々の情報を表示する。表示部１２０は、例えば、サムネイル画像１０〜４０が組み込まれたサムネイル表示用画像１０１（図１参照）を表示する。
【００３４】
受取部１３０は、例えば、タッチパネルである。受取部１３０は、端末装置１００のユーザーによるサムネイル画像１０〜４０のいずれかへの操作（タッチ操作）を受け取る。
【００３５】
記憶部１４０は、コンピューターが読み取り可能な記録媒体である。記憶部１４０は、端末装置１００の動作を規定するプログラム（本実施形態では、コンテンツ切替用アプリケーション）と、種々の情報とを記憶している。
【００３６】
制御部１５０は、ＣＰＵ（Central Processing Unit）等のコンピューターである。制御部１５０は、１または複数のプロセッサーで構成されてもよい。制御部１５０は、記憶部１４０に記憶されているプログラム（コンテンツ切替用アプリケーション）を読み取り実行することによって、種々の機能を実現する。
【００３７】
例えば、制御部１５０は、通信部１１０がコンテンツ情報を受信すると、コンテンツ情報を用いてサムネイル画像情報を生成する。このため、プロジェクター２００が、コンテンツ情報を用いてサムネイル画像情報を生成する場合に比べて、プロジェクター２００の負荷を軽減できる。
【００３８】
制御部１５０は、通信部１１０が展開完了信号を受信すると、サムネイル画像情報に応じたサムネイル画像をサムネイル表示用画像１０１に組み込む。換言すると、制御部１５０は、コンテンツ情報と展開完了信号とを受信した場合、サムネイル画像情報に応じたサムネイル画像の表示を、表示部１２０に実行させる。
【００３９】
制御部１５０は、受取部１３０が、サムネイル画像への操作を受け取ると、操作されたサムネイル画像に対応する表示通知をプロジェクター２００に送信する動作を、通信部１１０に実行させる。
【００４０】
図３は、プロジェクター２００の一例を示した図である。プロジェクター２００は、通信部２１０と、フレームメモリー２２０と、画像処理部２３０と、ライトバルブ駆動部２４０と、光源駆動部２５０と、投射装置２６０と、記憶装置２７０と、制御部２８０と、バス２９０と、を含む。投射装置２６０は、光源２６１と、３つの液晶ライトバルブ２６２（２６２Ｒ，２６２Ｇ，２６２Ｂ）と、投射光学系２６３と、を含む。
【００４１】
プロジェクター２００には、不図示のインターフェイスを介して、外部記憶装置４００が接続される。外部記憶装置４００は、例えば、ＳＤメモリーカード等のカード型記録媒体、または、ＵＳＢ（Universal Serial Bus）メモリーデバイスである。
【００４２】
外部記憶装置４００は、複数のコンテンツ画像の各々について、画像情報とコンテンツ情報を記憶する。換言すると、外部記憶装置４００は、コンテンツ画像ごとに、コンテンツ画像を示す画像情報と、コンテンツ情報とを、互いに対応づけて記憶する。
【００４３】
通信部２１０と、フレームメモリー２２０と、画像処理部２３０と、ライトバルブ駆動部２４０と、光源駆動部２５０と、記憶装置２７０と、制御部２８０と、外部記憶装置４００は、バス２９０を介して相互に通信可能である。
【００４４】
通信部２１０は、端末装置１００と通信可能である。例えば、通信部２１０は、端末装置１００と無線通信する。
【００４５】
フレームメモリー２２０は、記憶部の一例である。フレームメモリー２２０は、表示対象のコンテンツ画像に対応する画像情報を記憶する。本実施形態では、フレームメモリー２２０は、外部記憶装置４００に記憶されている画像情報のうち、表示対象のコンテンツ画像に対応する画像情報を記憶する。
【００４６】
本実施形態では、フレームメモリー２２０は、４つのフレームバッファーを含む。各フレームバッファーは、１つの画像情報を記憶する。このため、フレームメモリー２２０は、４つの画像情報（例えば、サムネイル画像１０〜４０に１対１で対応する４つの画像情報）を同時に記憶できる。４つの画像情報は、複数の画像情報の一例である。ここで、画像情報の数およびフレームバッファーの数は４に限らず２以上であればよい。
【００４７】
画像処理部２３０は、フレームメモリー２２０に記憶（展開）された画像情報に画像処理を施す。画像処理部２３０は、画像処理が施された画像情報を画像信号としてライトバルブ駆動部２４０に出力する。
【００４８】
ライトバルブ駆動部２４０は、画像信号に基づいて、液晶ライトバルブ２６２（２６２Ｒ，２６２Ｇ，２６２Ｂ）を駆動する。
【００４９】
光源駆動部２５０は、光源２６１を駆動する。例えば、光源駆動部２５０は、プロジェクター２００が電源オン操作を受け付けた場合に、光源２６１を発光させる。
【００５０】
投射装置２６０は、フレームメモリー２２０（記憶部の一例）が画像情報を記憶した場合、フレームメモリー２２０に記憶された画像情報に基づくコンテンツ画像をテーブル面３００ａ（表示面の一例）に表示可能になる表示部の一例である。
【００５１】
投射装置２６０は、テーブル面３００ａにコンテンツ画像（画像光）を投射してコンテンツ画像を表示する。投射装置２６０では、光源２６１から出射された光を液晶ライトバルブ２６２が変調して画像光を生成し、この画像光が投射光学系２６３からテーブル面３００ａに拡大して投射される。
【００５２】
光源２６１は、キセノンランプ、超高圧水銀ランプ、ＬＥＤ（Light Emitting Diode）、またはレーザー光源等である。光源２６１は光を出射する。光源２６１から出射された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ、液晶ライトバルブ２６２Ｒ，２６２Ｇ，２６２Ｂに入射する。
【００５３】
液晶ライトバルブ２６２は、画像情報（画像信号）に応じて、光源２６１が出射した光を変調して画像光を生成する。液晶ライトバルブ２６２は、一対の透明基板間に液晶が封入された液晶パネル等によって構成される。液晶ライトバルブ２６２には、マトリクス状に配列された複数の画素２６２ｐからなる矩形の画素領域２６２ａが形成されている。液晶ライトバルブ２６２では、液晶に対して画素２６２ｐごとに駆動電圧を印加することができる。
【００５４】
ライトバルブ駆動部２４０が、画像信号に応じた駆動電圧を各画素２６２ｐに印加すると、各画素２６２ｐは、画像信号に応じた光透過率に設定される。このため、光源２６１から出射された光は、画素領域２６２ａを透過することで変調され、画像信号に応じた画像が色光ごとに形成される。各色の画像は、図示しない色合成光学系によって画素２６２ｐごとに合成され、カラーの画像光になる。
【００５５】
投射光学系２６３は、液晶ライトバルブ２６２が生成した画像光をテーブル面３００ａに拡大投射する。
【００５６】
記憶装置２７０は、コンピューターが読み取り可能な記録媒体である。記憶装置２７０は、プロジェクター２００の動作を規定するプログラムと、種々の情報を記憶している。
【００５７】
制御部２８０は、ＣＰＵ等のコンピューターである。制御部２８０は、１または複数のプロセッサーで構成されてもよい。制御部２８０は、記憶装置２７０に記憶されているプログラムを読み取り実行することによって種々の機能を実現する。制御部２８０は、通信部２１０とフレームメモリー２２０と投射装置２６０とを、直接的または間接的に制御する。
【００５８】
制御部２８０は、例えば、通信部２１０が端末装置１００からリクエスト信号を受信した場合、リクエスト信号によって要求されたコンテンツ情報を端末装置１００に送信する動作を通信部２１０に実行させ、かつ、フレームメモリー２２０に当該コンテンツ情報に対応する画像情報を記憶させる。
【００５９】
制御部２８０は、フレームメモリー２２０が画像情報を記憶した後、展開完了信号を端末装置１００に送信する動作を通信部２１０に実行させる。本実施形態では、制御部２８０は、フレームメモリー２２０が画像情報を記憶した後、画像処理部２３０に、フレームメモリー２２０上の画像情報に対して画像処理を実行させ、当該画像処理が完了すると、展開完了信号を、端末装置１００に送信する動作を通信部２１０に実行させる。すなわち、フレームメモリー２２０が、画像処理の施された画像情報を記憶した後、展開完了信号が、端末装置１００に送信される。
【００６０】
制御部２８０は、通信部２１０が表示通知を受信した場合、フレームメモリー２２０に記憶されている画像情報のうち、表示通知が指示するコンテンツ画像に対応する画像情報を、画像信号として、ライトバルブ駆動部２４０に出力する動作を、画像処理部２３０に実行させる。
【００６１】
次に、動作を説明する。
図４は、表示システム１の動作を説明するためのシーケンス図である。
端末装置１００において、受取部１３０がコンテンツ切替用アプリケーションを立ち上げる操作を受け取ると、制御部１５０は、コンテンツ切替用アプリケーションを立ち上げ、表示部１２０にサムネイル表示用画像１０１を表示させる（ステップＳ１０１）。
【００６２】
ステップＳ１０１の段階では、端末装置１００は、まだ、サムネイル画像１０〜４０を生成するためのコンテンツ情報を取得していない。よって、ステップＳ１０１で表示されるサムネイル表示用画像１０１には、サムネイル画像１０〜４０のいずれも組み込まれていない。
【００６３】
図５は、ステップＳ１０１で表示されるサムネイル表示用画像１０１の一例を示した図である。図５に示したサムネイル表示用画像１０１では、サムネイル画像１０の組込み位置１０１ａには、サムネイル画像１０が、未だ組み込まれていない。組込み位置１０１ａは、所定位置の一例である。
【００６４】
組込み位置１０１ａには、サムネイル画像１０を一意に特定する文字情報（図５の例では「お誕生日１」）と、サムネイル画像１０を取得する予定である旨の「Waiting・・・」という文字情報が表示される。
【００６５】
サムネイル画像１０が組込み位置１０１ａに存在しない場合、組込み位置１０１ａが操作（タッチ操作）されても、制御部１５０は、表示通知を通信部１１０からプロジェクター２００に送信しない。
【００６６】
図５に示したサムネイル表示用画像１０１では、サムネイル画像２０〜４０に１対１で対応する組込み位置１０１ｂ〜１０１ｄにも、サムネイル画像が組み込まれていない。組込み位置１０１ｂ〜１０１ｄにも、文字情報が表示される。組込み位置１０１ｂ〜１０１ｄにサムネイル画像が存在しない場合、これらの組込み位置が操作（タッチ操作）されても、リクエスト信号は送信されない。
【００６７】
続いて、制御部１５０は、サムネイル画像１０〜４０を生成するための複数のコンテンツ情報を要求するリクエスト信号を、通信部１１０を用いてプロジェクター２００に送信する（ステップＳ１０２）。なお、リクエスト信号は、サムネイル表示用画像１０１を表示する前に、プロジェクター２００に送信してもよい。
【００６８】
プロジェクター２００では、通信部２１０がリクエスト信号を受信すると、制御部２８０は、外部記憶装置４００から第１〜第４コンテンツ情報を読み出す。
【００６９】
続いて、制御部２８０は、通信部２１０を用いて第１〜第４コンテンツ情報を端末装置１００に送信する（ステップＳ１０３）。
【００７０】
続いて、制御部２８０は、外部記憶装置４００から、サムネイル画像１０〜４０に１対１で対応する４つの画像情報を読み出す。続いて、制御部２８０は、サムネイル画像１０〜４０に１対１で対応する４つの画像情報を、１つずつ、フレームメモリー２２０の４つのフレームバッファーに展開する（ステップＳ１０４）。本実施形態では、ステップＳ１０４では、フレームメモリー２２０が画像情報を記憶した後、画像処理部２３０が、フレームメモリー２２０上の画像情報に対して画像処理を実行する。
【００７１】
端末装置１００では、通信部１１０が第１〜第４コンテンツ情報を受信すると、制御部１５０は、第１〜第４コンテンツ情報を用いて、サムネイル画像１０〜４０のそれぞれについてサムネイル画像情報を生成し始める（ステップＳ１０５）。制御部１５０は、サムネイル画像情報を生成しても、プロジェクター２００から、当該サムネイル画像情報に対応する展開完了信号を受信するまで、サムネイル画像情報が示すサムネイル画像の表示を実行しない。
【００７２】
プロジェクター２００では、ステップＳ１０４が完了すると、制御部２８０は、通信部２１０を用いて、展開完了信号を端末装置１００に送信する（ステップＳ１０６）。
ステップＳ１０６では、制御部２８０は、フレームメモリー２２０が画像情報を記憶するごとに、さらに言えば、フレームメモリー２２０が画像処理された画像情報を記憶するごとに、通信部２１０を用いて、当該画像情報に関連したサムネイル画像情報に対応する展開完了信号を端末装置１００に送信する。
換言すると、制御部２８０は、フレームメモリー２２０に複数の画像情報を記憶させている間、複数の画像情報のうちフレームメモリー２２０に記憶された画像情報については、複数の画像情報のうちフレームメモリー２２０に記憶されていない画像情報が存在しても、展開完了信号を端末装置１００へ送信する動作を通信部２１０に実行させる。
【００７３】
端末装置１００では、通信部１１０が展開完了通知を受信すると、制御部１５０は、展開完了通知に対応するサムネイル画像情報を特定する。続いて、制御部１５０は、特定したサムネイル画像情報に応じたサムネイル画像が組み込まれたサムネイル表示用画像１０１を表示部１２０に表示させる（ステップＳ１０７）。
【００７４】
例えば、通信部１１０が、サムネイル画像１０を示すサムネイル画像情報に対応する展開完了通知を最初に受信した場合、図６に示したように、サムネイル表示用画像１０１には、サムネイル画像１０が最初に組み込まれる。サムネイル画像２０〜４０を示すサムネイル画像情報に対する展開完了通知を受信していない時点では、図６に示したように、サムネイル画像１０が組み込まれているが、サムネイル画像２０〜４０は組み込まれていないサムネイル表示画像１０１が端末装置１００に表示される。以下、サムネイル表示用画像１０１に、他のサムネイル画像が組み込まれていく。
【００７５】
その後、端末装置１００のユーザーが、誕生日のイベントにおいてサムネイル画像１０に対応するコンテンツ画像（誕生日用の画像１０Ａ）を表示すべきタイミングで、サムネイル画像１０を操作すると、受取部１３０は、サムネイル画像１０への操作を受け取る（ステップＳ１０８）。
【００７６】
受取部１３０がサムネイル画像１０への操作を受け取ると、制御部１５０は、サムネイル画像１０に対応するコンテンツ画像を表示する旨の表示通知を、通信部１１０を用いてプロジェクター２００に送信する（ステップＳ１０９）。
【００７７】
プロジェクター２００では、通信部２１０が、サムネイル画像１０に対応するコンテンツ画像を表示する旨の表示通知を受け付けると、制御部２８０は、フレームメモリー２２０に記憶されている画像情報のうち、表示通知が指示するコンテンツ画像に対応する画像情報を特定する。
【００７８】
続いて、制御部２８０は、特定した画像情報を画像信号としてライトバルブ駆動部２４０に出力する動作を、画像処理部２３０に実行させる。画像処理部２３０がライトバルブ駆動部２４０への画像信号の出力を開始すると、投射装置２６０は、画像信号に応じたコンテンツ画像をテーブル面３００ａに投射する（ステップＳ１１０）。
【００７９】
本実施形態に係る表示システム１、プロジェクター２００およびプロジェクター２００の制御方法によれば、フレームメモリー２２０が画像情報を記憶して、投射装置２６０が画像情報に基づく画像をテーブル面３００ａに表示可能になってから、端末装置１００は、画像の表示を指示するための操作、つまり、サムネイル画像への操作を、受け付け可能になる。
【００８０】
このため、端末装置１００が当該操作を受け付けてから、フレームメモリー２２０が画像情報を記憶し、その後、画像情報に基づく画像がテーブル面３００ａに表示される構成に比べて、プロジェクター２００が端末装置１００から表示通知（指示）を受け取ってから当該表示通知に応じた表示が完了するまでの時間を短くできる。よって、プロジェクター２００は、端末装置１００への操作に応じて、直ちに表示を行うことが可能になる。
【００８１】
また、端末装置１００のユーザーがサムネイル画像を操作してからプロジェクター２００が表示を開始するまでの時間が長いと、端末装置１００のユーザーは、端末装置１００がサムネイル画像への操作を受け取っていないと誤解して、短い時間の間に、同じ操作を何度も繰り返すおそれがある。短い時間の間に同じ操作が繰り返されると、短い時間の間に同じコンテンツ画像が何度も表示され、表示品質が低下してしまう。
【００８２】
本実施形態では、端末装置１００のユーザーがサムネイル画像を操作してからプロジェクター２００が表示を開始するまでの時間を短くすることができる。このため、端末装置１００のユーザーが、端末装置１００がサムネイル画像への操作を受け取っていないと誤解し難くなり、同じコンテンツ画像が何度も表示されて表示品質が低下することを抑制可能になる。
【００８３】
また、端末装置１００のユーザーは、プロジェクター２００に投射させようとする画像を、端末装置１００でのサムネイル画像を見て確認してから、プロジェクター２００に画像を投射させる。このため、端末装置１００のユーザーが、プロジェクター２００に意図しない画像を投射させてしまう可能性を低くできる。よって、プロジェクター２００が、端末装置１００のユーザーの意図しない画像を投射して、イベントの演出効果が低減することを抑制可能になる。
【００８４】
制御部２８０は、通信部２１０が端末装置１００から複数の画像情報についてリクエスト信号を受信した場合、複数の画像情報についてコンテンツ情報を端末装置１００に送信する動作を通信部２１０に実行させ、かつ、フレームメモリー２２０に複数の画像情報を記憶させる。
このため、複数のサムネイル画像の中から表示対象のコンテンツ画像に対応するサムネイル画像が選択される状況において、プロジェクター２００が表示通知を受け取ってから表示対象のコンテンツ画像の表示が完了するまでの時間を短くできる。
【００８５】
制御部２８０は、フレームメモリー２２０に複数の画像情報を記憶させている間、複数の画像情報のうちフレームメモリー２２０に記憶された画像情報については、複数の画像情報のうちフレームメモリー２２０に記憶されていない画像情報が存在しても、展開完了信号を端末装置１００へ送信する動作を通信部２１０に実行させる。
このため、複数のコンテンツ画像のすべてが表示可能にならなくても、表示可能になったコンテンツ画像については、コンテンツ画像の表示を指示するための操作を受け付け可能になる。
【００８６】
端末装置１００は、サムネイル画像１０の表示を組込み位置１０１ａで実行した状態で組込み位置１０１ａが操作された場合に、表示通知をプロジェクター２００に送信する。一方、端末装置１００は、サムネイル画像１０の表示を組込み位置１０１ａで実行していない状態で組込み位置１０１ａが操作された場合には、表示通知をプロジェクター２００に送信しない。
このため、対応するサムネイル画像が表示されていないコンテンツ画像、つまり、フレームメモリー２２０に画像情報が記憶されておらず表示可能になっていないコンテンツ画像について、表示通知が送信されることを抑制できる。
【００８７】
制御部２８０は、通信部２１０がリクエスト信号を受信した場合、画像情報を外部記憶装置４００から取得し、外部記憶装置４００から取得した画像情報をフレームメモリー２２０に記憶させる。
このため、外部記憶装置４００に記憶されている画像情報に応じた画像をテーブル面３００ａに表示することが可能になる。
【００８８】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００８９】
＜変形例１＞
端末装置１００は自動的にコンテンツ情報をプロジェクター２００から取得したが、端末装置１００は、ユーザーの操作に応じてコンテンツ情報を取得してもよい。例えば、端末装置１００の制御部１５０は、図５に示したサムネイル表示用画像１０１が表示されている状況で、いずれかの組込み位置が操作（タッチ操作）された場合に、操作された組込み位置に対応するコンテンツ情報を、リクエスト信号を用いてプロジェクター２００から取得する。
【００９０】
＜変形例２＞
コンテンツ画像は、複数の画像が重畳された画像でもよい。この場合、コンテンツ画像に対応する画像情報は、例えば、基準画像を示す基準画像情報と、基準画像に演出効果を付加する演出画像を示す演出画像情報と、を含む。
【００９１】
図７は、基準画像７の一例を示した図である。基準画像７は、サメ等を表している。図８は、演出画像８の一例を示した図である。演出画像８は、透明領域８ａと黒領域８ｂとを含む。図９は、基準画像７に演出画像８が重畳された重畳画像９を示した図である。ここで、基準画像７は、図７に示した画像に限らず適宜変更可能である。演出画像８は、図８に示した画像に限らず適宜変更可能である。例えば、演出画像として、多角形の透明領域が画像の右上に存在する画像が用いられてもよく、また、基準画像をぼかす効果を有する画像が用いられてもよい。重畳される画像の数は２に限らず３以上でもよい。
【００９２】
画像情報が、基準画像情報と演出画像情報との組合せによって構成される場合、コンテンツ情報として、基準画像情報の解像度を低くした基準コンテンツ情報と、演出画像情報の解像度を低くした演出コンテンツ情報と、を含む情報が用いられてもよい。この場合、端末装置１００は、基準コンテンツ情報と演出コンテンツ情報とを重畳してサムネイル画像情報を生成し、サムネイル画像情報に応じたサムネイル画像を表示する。
【００９３】
また、画像情報が、基準画像情報と演出画像情報との組合せによって構成される場合、画像処理部２３０は、ステップＳ１０４で、基準画像情報と演出画像情報とを重畳する画像処理を実行する。このため、ステップＳ１０４の完了時には、基準画像情報と演出画像情報とが重畳された画像情報がフレームメモリー２２０に記憶されている。
なお、基準画像が動画像である場合、基準コンテンツ情報として、動画像を構成するいずれかの静止画を示す静止画情報が用いられてもよい。
【００９４】
＜変形例３＞
コンテンツ情報を、端末装置１００とプロジェクター２００との間の通信速度（以下、単に「通信速度」とも称する）に応じて、切り替えてもよい。
例えば、コンテンツ画像が動画像である状況では、通信速度が基準値以上である場合、コンテンツ情報として、動画像を構成するいずれかの静止画を示す静止画情報が用いられる。一方、コンテンツ画像が動画像である状況で、通信速度が基準値未満である場合、端末装置１００がコンテンツ画像を有していれば、コンテンツ情報として、当該コンテンツ画像を特定する情報（例えば、コンテンツ画像のファイル名）が用いられる。
【００９５】
＜変形例４＞
サムネイル表示用画像１０１が複数ページを有する場合、端末装置１００に表示されるサムネイル表示用画像１０１のページが切り替わるごとに、制御部１５０は、切り替わったページに組み込まれるサムネイル画像を生成するためのコンテンツ情報を取得する動作を、通信部１１０に実行させてもよい。
【００９６】
＜変形例５＞
コンテンツ情報（第１情報の一例）に応じた表示は、コンテンツ情報に対応したコンテンツ画像のサムネイル画像についての表示に限らず、当該コンテンツ画像を識別可能な画像の表示であればよい。
【００９７】
＜変形例６＞
画像情報とコンテンツ情報は、外部記憶装置４００ではなく、記憶装置２７０に記憶されてもよい。この場合、記憶装置２７０は、コンテンツ画像ごとに、コンテンツ画像を示す画像情報と、コンテンツ情報とを、互いに対応づけて記憶する。
【００９８】
＜変形例７＞
プロジェクター２００が投射する画像は、演出用の画像に限らず適宜変更可能である。例えば、プロジェクター２００が投射する画像は、照明光として利用可能な単純な白色の画像でもよい。
【００９９】
＜変形例８＞
端末装置１００が同時に表示するサムネイル画像の数は、４に限らず１以上であればよい。
【０１００】
＜変形例９＞
表示システム１が利用される場所は、レストランに限らず、適宜変更可能である。例えば、プロジェクター２００が商品に照射するための画像を投射する場合、表示システム１は、当該商品を販売している店舗において利用されてもよい。
【０１０１】
＜変形例１０＞
光変調部として液晶ライトバルブ２６２が用いられたが、光変調部は液晶ライトバルブ２６２に限らず適宜変更可能である。例えば、光変調部は、３枚の反射型の液晶パネルを用いた構成であってもよい。また、光変調部は、１枚の液晶パネルを用いた方式、３枚のデジタルミラーデバイス（ＤＭＤ）を用いた方式、１枚のデジタルミラーデバイスを用いた方式等の構成であってもよい。光変調部として１枚のみの液晶パネルまたはＤＭＤが用いられる場合には、色分離光学系および色合成光学系に相当する部材は不要である。また、液晶パネルおよびＤＭＤ以外にも、光源２６１が発した光を変調可能な構成は、光変調部として採用できる。
【０１０２】
＜変形例１１＞
制御部１５０または２８０がプロクラムを読み取り実行することによって実現される要素の全部または一部は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【０１０３】
＜変形例１２＞
表示部として投射装置２６０が用いられたが、表示部は、表示面を備えた直視型のディスプレイでもよい。
【符号の説明】
【０１０４】
１…表示システム、１００…端末装置、１１０…通信部、１２０…表示部、１３０…受取部、１４０…記憶部、１５０…制御部、２００…プロジェクター、２１０…通信部、２２０…フレームメモリー、２３０…画像処理部、２４０…ライトバルブ駆動部、２５０…光源駆動部、２６０…投射装置、２６１…光源、２６２…液晶ライトバルブ、２６３…投射光学系、２７０…記憶装置、２８０…制御部、４００…外部記憶装置。
【図１】
2019129483.tif 000003
【図２】
2019129483.tif 000004
【図３】
2019129483.tif 000005
【図４】
2019129483.tif 000006
【図５】
2019129483.tif 000007
【図６】
2019129483.tif 000008
【図７】
2019129483.tif 000009
【図８】
2019129483.tif 000010
【図９】
2019129483.tif 000011